(57)【特許請求の範囲】
【請求項１】
それぞれに紐通し部が形成され、アッパーの足挿入部から前方に形成された中央開口部を挟んで内足側に設けられる第１形成部および外足側に設けられる第２形成部と、
先端部が前記第２形成部に固定され、当該先端部に第１紐通し構造が設けられ、内足に当接するように下方に延伸する第１サポート部材と、
先端部が前記第１形成部に固定され、当該先端部に第２紐通し構造が設けられ、外足に当接するように下方に延伸する第２サポート部材と、
前記紐通し部を通過するとともに、前記第１、第２紐通し構造を連続して通過するシューレースと、
を備えることを特徴とする靴。
【請求項２】
前記第１、第２形成部は、前記紐通し部を補強するための補強構造を有することを特徴とする請求項１に記載の靴。
【請求項３】
前記第１、第２サポート部材は、前記第１、第２紐通し構造を補強するための変形抑制構造を有することを特徴とする請求項１または２に記載の靴。
【請求項４】
前記第１、第２サポート部材は帯状部を含むことを特徴とする請求項１から３のいずれかに記載の靴。
【請求項５】
前記第１、第２形成部のうち、前記第１、第２紐通し構造の前後中心に対応する対応領域には、周囲より幅方向伸縮性が低い低伸縮部が設けられることを特徴とする請求項１から４のいずれかに記載の靴。
【請求項６】
前記第１、第２形成部のうち、前記第１、第２紐通し構造が固定される固定領域には、周囲より幅方向伸縮性が低い低伸縮部が設けられることを特徴とする請求項１から５のいずれかに記載の靴。
【請求項７】
前記第１、第２サポート部材の少なくとも一方の前後方向中間領域には、周囲より剛性が低い剛性低減部が設けられることを特徴とする請求項１から６のいずれかに記載の靴。
【請求項８】
前記剛性低減部は、切り欠き部または周囲より柔軟な柔軟部を含むことを特徴とする請求項７に記載の靴。
【請求項９】
前記第１、第２サポート部材は、前後幅が下方に向かって漸増する前後幅変化部を有することを特徴とする請求項１から８のいずれかに記載の靴。
【請求項１０】
前記第１、第２サポート部材の下方領域は、互いに異なる伸縮性を有することを特徴とする請求項１から９のいずれかに記載の靴。
【請求項１１】
前記第１、第２サポート部材は、前記アッパーの素材より高い可撓性を有する素材で構成されることを特徴とする請求項１から１０のいずれかに記載の靴。
【請求項１２】
前記アッパーの前記中央開口部を覆うシュータンを有し、前記シュータンは、幅方向に突出して前記第１、第２サポート部材の内側で下方に延びる突出部を有することを特徴とする請求項１から１１のいずれかに記載の靴。
【請求項１３】
前記第１、第２サポート部材の基端部は前記突出部の下端よりも上側に配置されることを特徴とする請求項１２に記載の靴。
【請求項１４】
前記シュータンの上面には、前記第１、第２サポート部材の位置を規制するための位置規制部が設けられることを特徴とする請求項１２または１３に記載の靴。
【発明の詳細な説明】
【技術分野】
【０００１】
本発明は、靴に関する。
【背景技術】
【０００２】
孔に通した靴紐を緊張させて甲被を締め付けるタイプの靴が知られている。例えば、特許文献１には、靴紐により甲被を締め付ける靴が記載されている。この靴は、基端部が甲被羽根部の内側で靴底部に連結され、自由端部にリングを有する一対の補助締付け部材を備えており、当該補助締付け部材のリングは、甲被羽根部の開口を通過する。この靴は、補助締付け部材のリングと甲被羽根部の通孔とに靴紐を通して緊張させ、それによって靴紐による締め付けに加えて補助締付け部材で足の甲部を部分的に締め付ける。
【先行技術文献】
【特許文献】
【０００３】
【特許文献１】特開２００７−１９０３５１号公報
【発明の概要】
【発明が解決しようとする課題】
【０００４】
本発明者らは、靴のホールド性とフィット感とに関して以下の認識を得た。
スポーツ等で着用する靴は、着用者が静止や低速歩行等で低強度の動作を行う際は、拘束感を減らして適度にフィットすることが望まれ、走行や運動等で高強度の動作を行う際は、その動作に追従して足をしっかりとホールドすることが望まれる。しかし、ホールド性を高めるために靴紐を強く緊張させると、低強度の動作時にも拘束感が続きフィット感は低下する。つまり、ホールド性の向上とフィット感の確保とは両立させるのが難しいという問題がある。【０００５】
このような課題は、スポーツ用の靴に限らず、他の種類の靴についても生じうる。【０００６】
本発明は、こうした課題に鑑みてなされたものであり、その目的は、フィット感を維持しながらホールド性を向上させることができる靴を提供することにある。
【課題を解決するための手段】
【０００７】
上記課題を解決するために、本発明のある態様の靴は、それぞれに紐通し部が形成され、アッパーの足挿入部から前方に形成された中央開口部を挟んで内足側に設けられる第１形成部および外足側に設けられる第２形成部と、先端部が第２形成部に固定され、当該先端部に第１紐通し構造が設けられ、内足に当接するように下方に延伸する第１サポート部材と、先端部が第１形成部に固定され、当該先端部に第２紐通し構造が設けられ、外足に当接するように下方に延伸する第２サポート部材と、紐通し部を通過するとともに、第１、第２紐通し構造を連続して通過するシューレースと、を備える。【０００８】
なお、以上の任意の組み合わせや、本発明の構成要素や表現を方法、装置、プログラム、プログラムを記録した一時的なまたは一時的でない記憶媒体、システムなどの間で相互に置換したものもまた、本発明の態様として有効である。
【発明の効果】
【０００９】
本発明によれば、フィット感を維持しながらホールド性を向上させることができる靴を提供できる。
【図面の簡単な説明】
【００１０】
【図１】本発明の実施の形態に係る靴を概略的に示す平面図である。
【図２】図１の靴のＡ−Ａ線断面図である。
【図３】図１の靴の形成部およびサポート部材を拡大して示す拡大図である。
【図４】図３のサポート部材を概略的に示す平面図である。
【図５】図３のサポート部材の締め付け力に応じた配置例を示す配置図である。
【図６】図３のサポート部材の足からの荷重に応じた配置例を示す配置図である。
【図７】図３のサポート部材の運動に応じた第１の配置例を示す配置図である。
【図８】図３のサポート部材の運動に応じた第２の配置例を示す配置図である。
【図９】図３のサポート部材の運動に応じた第３の配置例を示す配置図である。
【図１０】図３のサポート部材のアーチに対応する配置例を示す配置図である。
【図１１】図３のサポート部材の剛性低減部の例を示す形状図である。
【図１２】図３のサポート部材の剛性低減部の例を示す別の形状図である。
【図１３】図３のサポート部材の剛性低減部の例を示すさらに別の形状図である。
【図１４】図３のサポート部材の紐通し構造の周辺を拡大して示す拡大図である。
【図１５】図１の靴の形成部の紐通し構造の周辺を拡大して示す拡大図である。
【図１６】図３のサポート部材の引張り試験の結果を示すグラフである。
【図１７】図１の靴の各部に働く力を模式的に示す模式図である。
【図１８】第１変形例に係る靴を概略的に示す平面図である。
【図１９】図１８の靴のＢ−Ｂ線断面図である。
【図２０】図１８の靴のシュータンを平面に展開した展開図である。
【図２１】第２変形例に係る靴を概略的に示す平面図である。
【図２２】図２１の靴のＭ−Ｍ線断面図である。
【図２３】図２１の靴のＮ−Ｎ線断面図である。
【図２４】第３変形例に係る靴を概略的に示す平面図である。
【図２５】図２４の靴のＰ−Ｐ線断面図である。
【発明を実施するための形態】
【００１１】
靴は、静止時や歩行時などの通常時には、足当たりがよく足の形状に程よく適合する性質（以下、「フィット感」という）を備え、運動時には、アウトソールに対して足を動かないように拘束する性質（以下、「ホールド性」という）を備えることが望ましい。ホールド性を高めると、動作時のアッパーのブレ量が小さくなり、足が靴のアウトソールからこぼれ落ちる方向にかかる力をアッパーが受け止める性質（以下、「安定性」という）が高まる。しかし、足とアッパーとの間の空隙が小さいほど、ホールド性は向上し安定性は高まるが、フィット感は低下するので、これらを両立させることは難しい。
【００１２】
ここで、この観点から特許文献１に記載の靴を考察する。この靴は、基端側から自由端部まで延びる一対の補助締め付け部材を有する。自由端部に連結されたリングには靴紐が通され、靴紐が締め付けられることにより、補助締め付け部材は甲被羽根部と共に締め付けられる。補助締め付け部材が締め付けられることにより、補助締め付け部材の基端側の一方は、内側で底部の縁の土踏まずのやや前方部分に強固に接合され、他方は、外側で左右内側と前後方向同位置よりやや後方部分にそれぞれ強固に接合される。
【００１３】
この靴では、補助締付け部材の自由端部が甲被羽根部に対して固定されていない。このため、靴紐で自由端部を強く締付けると、その補助締付け部材とは反対側の甲被羽根部も一緒に強く締付けられ、足は内側と外側とから強く締付けられる。したがって、ホールド性を高めるために、静的状態で自由端部を強く締めると、同時に甲被羽根部も強く締められるため、フィット感は低下する。また、フィット感を向上するために、自由端部を緩く締めると、同時に甲被羽根部も緩く締められるため、ホールド性は低下する。つまり、この靴では、人の運動時と静止時とで足を締め付ける力が殆ど変化しないため、フィット感とホールド性の両立が難しいといえる。
【００１４】
本発明は、上述の考察に基づきなされたものであり、サポート部材の先端部をアッパーに固定することにより、運動時と静止時とで足を締め付ける力を変化させ、静止時のフィット感と運動時のホールド性との両立を図るものである。
【００１５】
以下、本発明を好適な実施形態をもとに各図面を参照しながら説明する。実施形態、変形例では、同一または同等の構成要素、部材には、同一の符号を付するものとし、適宜重複した説明は省略する。また、各図面における部材の寸法は、理解を容易にするために適宜拡大、縮小して示される。また、各図面において実施形態を説明する上で重要ではない部材の一部は省略して表示する。
【００１６】
また、第１、第２などの序数を含む用語は多様な構成要素を説明するために用いられるが、この用語は一つの構成要素を他の構成要素から区別する目的でのみ用いられ、この用語によって構成要素が限定されるものではない。
【００１７】
［実施の形態］
以下、図面を参照して、本発明の実施の形態に係る靴１００の構成を説明する。図１は、実施の形態に係る靴１００を概略的に示す平面図である。図１を含め、以下の図では、特に説明しない限り右足用の靴を示すが、本明細書の説明は、左足用の靴にも同様に適用される。
【００１８】
本実施形態の靴１００は、例えば歩行や走行用の靴、テニスやバスケットボールなどのスポーツ用のシューズとして使用できる。靴１００は、ソール１０と、アッパー２０とを有する。図１に示すように、アッパー２０の幅方向中心線Ｌａから内足側（図中下側）を内足部２２と、幅方向中心線Ｌａから外足側（図中上側）を外足部２４という。また、外足側から内足側に向かう方向を内側といい、その反対方向を外側という。また、中心線Ｌａに沿った方向を「前後方向」という。各図において、矢印Ｗは幅方向を示し、矢印Ｘは前後方向を示す。また、中心線Ｌａに沿ってつま先側に向かう方向を「前側」、「前方」といい、その反対側を「後側」、「後方」という。したがって、幅方向は中心線Ｌａに直交する。
【００１９】
図２は、図１のＡ−Ａ線に沿った縦断面図である。靴１００を水平面に載置した状態（以下、「水平状態」という）における上側を「上側」、「上方」といい、その反対側を「下側」、「下方」という。また、水平状態において、鉛直に延びる方向を「上下方向」という。
【００２０】
アッパー２０は、内足部２２と、外足部２４と、第１形成部２６と、第２形成部２８と、第１サポート部材３２と、第２サポート部材３４と、シューレース６０と、シュータン７０とを有する。アッパー２０は、足を収容するための内部空間２０ａを囲む。アッパー２０には、その足挿入部２０ｂから前方に中央開口部２０ｃが形成される。第１形成部２６と第２形成部２８を総称するときは形成部と表記することがある。また、１サポート部材３２と第２サポート部材３４を総称するときはサポート部材と表記することがある。
【００２１】
ソール１０は、アウトソール１２と、インソール１４とを含む。ソール１０は、接着等の手段によりアッパー２０に固定される。
【００２２】
図３も参照して、形成部を説明する。図３は、形成部およびサポート部材を拡大して示す拡大図である。第１形成部２６は、中央開口部２０ｃの内足側に設けられる。第２形成部２８は、中央開口部２０ｃの外足側に設けられる。つまり、第１形成部２６と第２形成部２８は、中央開口部２０ｃを幅方向に挟んで配置される。第１形成部２６および第２形成部２８には、それぞれ複数の紐通し部６２が形成される。紐通し部６２は、シューレース６０を通すための部分で、通孔や紐掛部等であってもよい。一例として、本実施形態の紐通し部６２は、上下に貫通する貫通孔である。第１形成部２６および第２形成部２８には、それぞれ６つの紐通し部６２が略前後方向に所定の間隔で配置される。
【００２３】
紐通し部６２の剛性が低いと、高強度運動時にシューレース６０の張力が逃げ、サポート部材のサポート機能を十分に発揮できない。そこで、本実施形態では、第１、第２形成部２６、２８は、紐通し部６２を補強するための補強構造２６ｓ、２８ｓを有する。補強構造２６ｓ、２８ｓは、周囲よりも剛性を高めることができればよく、種々の構成を採用できる。例えば、アッパー２０のうち第１、第２形成部２６、２８を周囲よりも低い伸縮性を有する低伸縮性素材、周囲よりも厚い素材、周囲よりも密度が高い素材または周囲よりも硬い素材で形成してもよい。
【００２４】
また、第１、第２形成部２６、２８のうち紐通し部６２を周囲よりも剛性を高くする構成としてもよい。特に、紐通し部６２のシューレース６０を通過させる孔の縁を周囲よりも剛性を高くする構成としてもよい。例えば、紐通し部６２の孔の縁に金属製、樹脂製のハトメやフック等の補強部材を設けてもよいし、孔かがり等によって紐通し部６２の孔の縁を周囲よりも厚くしてもよい。また、第１、第２形成部２６、２８のうち、後述するサポート部材の固定部の周囲領域２６ｇ、２８ｇを周囲よりも剛性を高くしてもよい。なお、周囲領域２６ｇ、２８ｇは、後述する通孔２６ｈ、２８ｈが設けられる領域でもある。
【００２５】
図４も参照して、サポート部材を説明する。図４は、サポート部材を概略的に示す平面図である。第１、第２サポート部材３２、３４は、下側の基端部３２ｊ、３４ｊから上側の先端部３２ｈ、３４ｈまで延びる紐状または帯状の部材である。基端部３２ｊ、３４ｊは、アッパー２０とソール１０の一方または双方に固定されてもよい。一例として、基端部３２ｊ、３４ｊは、アウトソール１２、インソール１４またはアッパー２０の下部に固定されてもよいし、これらの間に固定されてもよい。図２の例では、基端部３２ｊ、３４ｊは、アッパー２０とインソール１４の間に固定されている。
【００２６】
サポート部材の可撓性が低すぎると、サポート部材が足に当たったときの感触が悪くなる。そこで、本実施形態のサポート部材は、アッパー２０の素材より高い可撓性を有する素材で構成されている。言換えると、サポート部材は、アッパー２０の素材より柔軟性の高い素材で構成されている。
【００２７】
図２に示すように、第１、第２サポート部材３２、３４は、アッパー２０の内部において内足または外足に当接するように略上下方向に延伸する部分を有する。図３に示すように、第１サポート部材３２の先端部３２ｈは、第２形成部２８に設けられた通孔２８ｈを下から上に通過して第２形成部２８の上面に突出する。先端部３２ｈは、第２形成部２８の下側または上側に固定される固定部３２ｆを有する。第２サポート部材３４の先端部３４ｈは、第１形成部２６に設けられた通孔２６ｈを下から上に通過して第１形成部２６の上面に突出する。先端部３４ｈは、第１形成部２６の下側または上側に固定される固定部３４ｆを有する。通孔２６ｈ、２８ｈは、形成部２６、２８に形成されたスリット状の開口であってもよい。
【００２８】
図４に示すように、第１、第２サポート部材３２、３４の先端部３２ｈ、３４ｈには、第１、第２紐通し構造３２ｇ、３４ｇが設けられる。紐通し構造３２ｇ、３４ｇは、シューレース６０を通すための部分である。本実施形態の紐通し構造３２ｇ、３４ｇは、先端部３２ｈ、３４ｈの先端を折り返して、第１、第２サポート部材３２、３４の途中に縫合などの手段で固定することにより折返し部に形成された前後方向の通孔である。
【００２９】
固定部３２ｆ、３４ｆは、紐通し構造３２ｇ、３４ｇよりも先端側に設けられてもよいし、紐通し構造３２ｇ、３４ｇよりも基端側に設けられてもよいし、紐通し構造３２ｇ、３４ｇに設けられてもよい。図４の例では、固定部３２ｆ、３４ｆは、紐通し構造３２ｇ、３４ｇよりも基端側に設けられ、形成部２８、２６の上面に縫い付けられて固定されている。したがって、紐通し構造３２ｇ、３４ｇは、通孔２６ｈ、２８ｈおよび固定部３２ｆ、３４ｆに２点で支持されるため、紐通し構造３２ｇ、３４ｇの変形を抑制できる。
【００３０】
サポート部材の形状を説明する。サポート部材３２、３４の形状としては、内足および外足を包んでホールドできればよく、種々の形状を採用できる。例えば、サポート部材３２、３４は紐状であってもよいし、帯状であってもよいし、これらを複合した形状であってもよい。
【００３１】
図４の例では、サポート部材３２、３４は、帯状部３２ｂ、３４ｂと、その前後幅が下方に向かって漸増する前後幅変化部３２ｍ、３４ｍとを含んでいる。この例では、前後幅変化部３２ｍ、３４ｍは下側が広がる略台形状の部分である。帯状部３２ｂ、３４ｂを有することにより、内足および外足との接触面積を増やして力を分散できる。前後幅変化部３２ｍ、３４ｍを有することにより、足のアーチとの接触面積を増やして足当たりを向上できる。なお、帯状部３２ｂ、３４ｂの前後方向幅は一定であってもよいし、変化してもよい。図４の帯状部３４ｂの前後方向幅はほぼ一定であり、帯状部３２ｂの前後方向幅は先端側に向かって漸減している。
【００３２】
シューレース６０を説明する。シューレース６０は、複数の紐通し部６２および紐通し構造３２ｇ、３４ｇを内足側と外足側とを交互に通過し、両方の端部が結束される。特に、シューレース６０は、図３に示すように、紐通し部６２を通過するとともに、紐通し構造３２ｇ、３４ｇを連続して通過する。つまり、シューレース６０は、紐通し構造３２ｇ、３４ｇの間では紐通し部６２を通過せず、紐通し構造３２ｇ、３４ｇを同じループで通過する。シューレース６０が連続して通過することにより、紐締力が紐通し構造３２ｇ、３４ｇに均等に加わり、内足と外足にかかる力の不均衡を抑制できる。
【００３３】
シュータン７０を説明する。図１、図２に示すように、シュータン７０は、アッパー２０の内部空間２０ａ側に設けられる。シュータン７０は、アッパー２０の内部において中央開口部２０ｃを覆う。サポート部材はシュータン７０の上面側を幅方向に延びる。サポート部材の一部はシュータン７０とアッパー２０との間に介在する。シューレース６０はシュータン７０の上面に配される。
【００３４】
次に、サポート部材の配置例を説明する。サポート部材は、シューレース６０の締め付けを受ける部材である。このため、サポート部材は、シューレース６０の紐締め方向を考慮して配置されてもよい。図５は、締め付け力に応じたサポート部材の配置例を示す配置図である。図５の例では、第２サポート部材３４には、シューレース６０の締め付け方向に沿って矢印ｄ１、ｄ２で示す張力（以下、力ｄ１、ｄ２という）が加わる。紐通し構造３４ｇの前端には、シューレース６０の張力によって、幅方向でやや前向きの力ｄ１がかかる。紐通し構造３４ｇの後端には、シューレース６０の張力によって、幅方向でやや後向きの力ｄ２がかかる。
【００３５】
力ｄ１、ｄ２を受けることにより、第２サポート部材３４には、その合力として、矢印Ｄで示す締め付け力（以下、締め付け力Ｄという）が作用する。締め付け力Ｄは、内足側から外足側に向かう方向の力である。第２サポート部材３４は、締め付け力Ｄに対応して、締め付け力Ｄの方向に沿って延伸している。第１サポート部材３２についても同様にシューレース６０の締め付け力の方向に沿って延伸している。
【００３６】
サポート部材は、運動時に足からの荷重を受ける部材である。このため、サポート部材は、運動時に足からの荷重がかかる方向を考慮して配置されてもよい。図６は、足からの荷重に応じたサポート部材の配置例を示す配置図である。図６の例では、第２サポート部材３４には、足からの荷重の方向に沿って矢印Ｅに示す荷重（以下、荷重Ｅという）が作用する。荷重Ｅに対応するため、第２サポート部材３４は、足からの荷重Ｅがかかる方向に沿って延伸している。第１サポート部材３２についても同様に足からの荷重がかかる方向に沿って延伸している。
【００３７】
また、運動の内容によって運動時に足からの荷重がかかる方向が異なるので、サポート部材は、対象とする各運動の荷重方向に応じて配置されてもよい。図７〜図９は、運動に応じたサポート部材の配置例を示す配置図である。サポート部材は、図７〜図９に示すように、各対象運動の荷重方向に基づいた位置や方向に配置されてもよい。
【００３８】
図７の例では、内足側の第１サポート部材３２は、外足側の第２サポート部材３４より前方に配置され、母趾球部の近傍の骨の隆起部を支持しており、外足側の第２サポート部材３４は小趾球部より後方の部位の骨の隆起部を支持している。これにより、内足側に急激に倒れこむような動作時における、過度な足の倒れこみを抑制する効果が得られる。
【００３９】
図８の例では、内足側の第１サポート部材３２は、外足側の第２サポート部材３４より後方に配置され、土踏まずの前後中央近傍を支持しており、外足側の第２サポート部材３４は小趾球部の近傍の骨の隆起部を支持している。これにより、土踏まずの落ち込み抑制効果、ならびに前足部外足側へ大きな荷重が加わる動作時における横方向へのシューズと足のずれの抑制効果が得られる。
【００４０】
図９の例では、内足側の第１サポート部材３２は土踏まずの前後中央近傍を支持しており、外足側の第２サポート部材３４は、内足側の第１サポート部材３２より後方に配置されており、小趾球部と踵の中央領域の骨の隆起部を支持している。これにより、土踏まずの落ち込み抑制効果、ならびに中足部外足側へ大きな荷重が加わる動作時の横方向へのシューズと足のずれの抑制効果が得られる。
【００４１】
また、内足側の第１サポート部材３２は、運動時にアーチの倒れ込みを抑制可能な位置に配置されてもよい。図１０は、アーチ８ａの倒れ込みに対応するサポート部材の配置例を示す配置図である。図１０の例では、アーチ８ａの倒れ込みを抑制するために、内足側の第１サポート部材３２は、アーチ８ａに接するように配置されている。サポート部材は、アーチ８ａに接することにより、シューレースの張力に基づいて、矢印Ｆで示すサポート力（以下、サポート力Ｆという）をアーチ８ａに付与する。サポート力Ｆを付与することにより、サポート部材は、アーチ８ａを引き上げ、アーチ８ａの倒れ込みを抑制できる。
【００４２】
サポート部材の形状をさらに説明する。サポート部材が、骨端や骨頭等の骨の隆起部に長時間強く圧接されると、圧接される部分が痛くなるおそれがある。このため、サポート部材が、骨端や骨頭等の骨の隆起部を支持する場合、これらの部分に圧接される領域の剛性を低く構成してもよい。例えば、小趾球部近傍の骨の隆起部を支持する外足側の第２サポート部材３４を、内足側の第１サポート部材３２より剛性が低くなるように構成してもよい。この場合、一例として、外足側の第２サポート部材３４を、内足側の第１サポート部材３２の素材より低剛性の素材で構成してもよい。また、第１、第２サポート部材３２、３４の下方領域は、互いに異なる伸縮性を有してもよい。
【００４３】
同様の観点から、外足側の第２サポート部材３４の前後方向中間領域に、その周囲より剛性が低い剛性低減部３６が設けられてもよい。剛性低減部３６は、サポート部材のうち骨端や骨頭等の骨の隆起部に接触する部分に設けられる。剛性低減部３６を有することにより、骨端や骨頭等の骨の隆起部へのサポート部材からの圧力を弱めることができる。図１１〜図１３は、サポート部材の剛性低減部３６の一例を示す形状図である。図１１の例では、第２サポート部材３４の剛性低減部３６は、周囲より柔軟な素材で形成された柔軟部３６ｓである。図１２の例では、第２サポート部材３４の剛性低減部３６は、複数のスリット状の切り欠き部３６ｐである。図１３の例では、第２サポート部材３４の剛性低減部３６は単一の切り欠き部３６ｑである。
【００４４】
紐通し構造３２ｇ、３４ｇをさらに説明する。図１４は、紐通し構造３２ｇ、３４ｇの周辺を拡大して示す拡大図である。この図の中心線Ｌｃは紐通し構造３２ｇ、３４ｇの前後中心を幅方向に延びる中心線である。ホールド性を確保する観点で、紐通し構造３２ｇ、３４ｇの変形は小さいことが望ましい。そこで、本実施形態のサポート部材３２、３４は、紐通し構造３２ｇ、３４ｇを補強するための変形抑制構造３２ｋ、３４ｋを有する。
【００４５】
変形抑制構造３２ｋ、３４ｋとしては、紐通し構造３２ｇ、３４ｇを補強できればよく、種々の構成を採用できる。例えば、サポート部材のうち紐通し構造３２ｇ、３４ｇを低い伸縮性を有する低伸縮性素材、周囲よりも厚い素材、周囲よりも密度が高い素材または周囲よりも硬い素材で形成してもよい。例えば、紐通し構造３２ｇ、３４ｇに金属製や樹脂製のハトメ等の補強部材を設けてもよい。
【００４６】
紐通し構造３２ｇ、３４ｇの変形を低減してホールド性を確保する観点からは、紐通し構造３２ｇ、３４ｇは、シューレース６０から力を受ける方向（＝幅方向）の伸縮性が他方向（＝前後方向）の伸縮性より小さいことが望ましい。例えば、図１４に示すように、紐通し構造３２ｇ、３４ｇの幅方向伸縮性は、形成部２６、２８の幅方向伸縮性より小さくてもよい。特に、紐通し構造３２ｇ、３４ｇの前後中心における幅方向伸縮性は、形成部２６、２８の幅方向伸縮性より小さくてもよい。
【００４７】
図１５は、第１、第２形成部２６、２８の紐通し構造３２ｇ、３４ｇの周辺を拡大して示す拡大図である。紐通し構造３２ｇ、３４ｇの変形を抑制してホールド性を確保する観点から、第１、第２形成部２６、２８のうち、第１、第２紐通し構造３２ｇ、３４ｇが固定される固定領域３０ｄには、周囲より幅方向伸縮性が低い低伸縮部３０ｅが設けられてもよい。
【００４８】
一例として、固定領域３０ｄは、第１、第２形成部２６、２８のうち前方のサポート部材（図１５の例では第２サポート部材３４）の先端部３２ｈ、３４ｈの前端から第１、第２サポート部材３２、３４のうち後方のサポート部材（図１５の例では第１サポート部材３２）の後端の間の部分であってもよい。固定領域３０ｄの全部が低伸縮部３０ｅであってもよいし、固定領域３０ｄの一部が低伸縮部３０ｅであってもよい。
【００４９】
また、低伸縮部３０ｅは、先端部３２ｈ、３４ｈの固定部に対して、基端部３２ｊ、３４ｊ側に向かう張力が加わったときに、先端部３２ｈ、３４ｈの固定部にその張力に対抗可能な抗力を発揮する観点で、アッパー２０にも連続して設けられてもよい。一例として、図１５に示すように、低伸縮部３０ｅは、第１、第２形成部２６、２８における先端部３２ｈ、３４ｈの固定部から内足部２２および外足部２４にかけて連続して設けられてもよい。
【００５０】
図１５の破線で示すように、内足部２２側の低伸縮部３０ｅは、第２サポート部材３４の先端部３４ｈの前後幅において、第１形成部２６から内足部２２にわたって、内足部２２の下側の基端部（ソール１０に固定される部分）まで延びる帯状領域に設けられている。また、外足部２４側の低伸縮部３０ｅは、第１サポート部材３２の先端部３２ｈの前後幅において、第２形成部２８から外足部２４にわたって、外足部２４の下側の基端部（ソール１０に固定される部分）まで延びる帯状領域に設けられている。つまり、低伸縮部３０ｅの下端３０ｆは内足部２２および外足部２４のソール１０に固定される部分まで延びている。
【００５１】
この場合、先端部３２ｈ、３４ｈの固定部に対して、第１、第２サポート部材３２、３４の基端部３２ｊ、３４ｊ側に向かう張力が加わったときに、アッパー２０まで延びた低伸縮部３０ｅによって、先端部３２ｈ、３４ｈの固定部にその張力に対抗可能な抗力を付与できる。
【００５２】
例えば、低伸縮部３０ｅは、低伸縮部３０ｅの周囲より低い伸縮性を有する低伸縮性素材、周囲よりも厚い素材、周囲よりも密度が高い素材または周囲よりも硬い素材で形成されてもよい。
【００５３】
特に、第１、第２形成部２６、２８のうち、第１、第２紐通し構造３２ｇ、３４ｇの前後中心に対応する対応領域３０ｃには、周囲より幅方向伸縮性が低い低伸縮部３０ｅが設けられてもよい。つまり、第１、第２形成部２６、２８のうち、対応領域３０ｃ（図１５の中心線Ｌｃの近傍の領域）は、低伸縮部３０ｅであってもよい。なお、第１、第２形成部２６、２８のうち、固定部３２ｆ、３４ｆの前後範囲は、低伸縮部３０ｅであってもよい。
【００５４】
次に、サポート部材の剛性を説明する。図１６は、サポート部材のサンプルＴの引張り試験の結果を示すグラフである。このグラフは、横軸に伸び量を最大伸び量に対するパーセントで示し、縦軸に荷重を示している。このグラフは、所定素材から所定形状に形成されたサポート部材のサンプルＴについて、足から受ける方向の荷重に対する試験結果を示す。伸び量に対する荷重（＝剛性）が高すぎるとフィット感が損なわれ、伸び量に対する荷重（＝剛性）が低すぎると安定性が損なわれる。
【００５５】
本発明者らはフィット感と安定性とを確保する観点で、伸び量がゼロ近傍における剛性（初期剛性）と伸び量が１００％における剛性について検討した。この検討により、初期剛性が０．０１Ｎ／ｍｍ以上０．１５Ｎ／ｍｍ以下の範囲で、伸び量が１００％における剛性が０．５Ｎ／ｍｍ以上１０Ｎ／ｍｍ以下の範囲でフィット感と安定性を確保できることの示唆を得た。サンプルは、上記に限定されず、フィット感と安定性の所望のバランスに応じて選択される。
【００５６】
図１７を参照して、以上のように構成された靴１００の運動時のホールド動作の一例を説明する。図１７は、荷重を受けた場合に靴１００の各部に働く力を模式的に示す模式図である。
（１）靴１００に荷重を受けると、矢印Ｇで示すように、外足側のサポート部材３４には足からの外向き荷重（以下、荷重Ｇという）がかかる。
（２）サポート部材３４に荷重Ｇがかかると、サポート部材３４の先端部３４ｈが固定されているアッパー２０の第１形成部２６に外向きの力が加わる。
【００５７】
（３）第１形成部２６に外向きの力が加わると、アッパー２０の内足部２２に外向きの力が作用する。
（４）この結果、内足は内足部２２にサポートされ、外足はサポート部材３４にサポートされ、足全体がしっかりホールドされるので足のブレを低減できる。
【００５８】
また、靴１００に足から内向きの荷重を受けた場合も、同様の作用機序により、内足はサポート部材３２にサポートされ、外足は外足部２４にサポートされ、足全体がしっかりホールドされるので足のブレを低減できる。つまり、静止時に足を完全拘束しなくとも、運動時の動的な力の入力と伝達とにより安定性を確保できる。また、静止時に完全拘束しなければ、静止時や歩行時に足の自由度を確保できて快適なフィット感を得ることができる。また、靴の使用目的に応じて、サポート部材の剛性を適宜選択することにより静止時の足の自由度と運動時の安定性のバランスを調整できる。
【００５９】
本発明の一態様の概要について説明する。本発明のある態様の靴１００は、それぞれに紐通し部６２が形成され、アッパー２０の足挿入部２０ｂから前方に形成された中央開口部２０ｃを挟んで内足側に設けられる第１形成部２６および外足側に設けられる第２形成部２８と、先端部３２ｈが第２形成部２８に固定され、当該先端部３２ｈに第１紐通し構造３２ｇが設けられ、アッパー２０の内部において内足に当接するように下方に延伸する第１サポート部材３２と、先端部３４ｈが第１形成部２６に固定され、当該先端部３４ｈに第２紐通し構造３４ｇが設けられ、アッパー２０の内部において外足に当接するように下方に延伸する第２サポート部材３４と、紐通し部６２を通過するとともに、第１、第２紐通し構造３２ｇ、３４ｇを連続して通過するシューレース６０と、を備える。
【００６０】
この態様によれば、サポート部材の先端部をアッパー２０に固定することにより、運動時と静止時とで足を締め付ける力を変化させ、静止時のフィット感と運動時のホールド性とを向上できる。
【００６１】
第１、第２形成部２６、２８は、紐通し部６２を補強するための補強構造２６ｓ、２８ｓを有してもよい。この場合、補強構造２６ｓ、２８ｓによって紐通し部６２が補強されるので、高強度の動作の際の張力の逃げが減ってホールド性を確保できる。
【００６２】
上述したように、補強構造２６ｓ、２８ｓは、周囲よりも低い伸縮性を有する低伸縮性素材、周囲よりも厚い素材、周囲よりも密度が高い素材または周囲よりも硬い素材で形成してもよい。また、紐通し部６２のシューレース６０を通過させる孔の縁を周囲よりも剛性を高くするように、例えば、紐通し部６２の孔の縁に金属製、樹脂製のハトメやフック等の補強部材を設けてもよいし、孔かがり等によって紐通し部６２の孔の縁を周囲よりも厚くした肉厚部を設けてもよい。また、これらの補強構造を複数組み合わせて備えてもよい。
【００６３】
第１、第２サポート部材３２、３４は、第１、第２紐通し構造３２ｇ、３４ｇを補強するための変形抑制構造３２ｋ、３４ｋを有してもよい。この場合、紐通し構造３２ｇ、３４ｇの変形を抑制でき、ホールド性が向上する。
【００６４】
第１、第２サポート部材３２、３４は帯状部３２ｂ、３４ｂを含んでもよい。この場合、足のアーチの広い領域をサポートできる。
【００６５】
第１、第２形成部２６、２８のうち、第１、第２紐通し構造３２ｇ、３４ｇの前後中心に対応する対応領域３０ｃには、周囲より幅方向伸縮性が低い低伸縮部３０ｅが設けられてもよい。この場合、対応領域３０ｃの変形が抑制されるので、張力の逃げが減って、ホールド性が向上する。
【００６６】
第１、第２形成部２６、２８のうち、第１、第２紐通し構造３２ｇ、３４ｇが固定される固定領域３０ｄには、周囲より幅方向伸縮性が低い低伸縮部３０ｅが設けられてもよい。この場合、固定領域３０ｄの変形が抑制されるので、張力の逃げが減って、ホールド性が向上する。
【００６７】
第１、第２サポート部材３２、３４の少なくとも一方の前後方向中間領域には、周囲より剛性が低い剛性低減部３６が設けられてもよい。この場合、サポート部材に柔軟性と強度とを持たせることができる。
【００６８】
剛性低減部３６は、周囲より柔軟な柔軟部３６ｓまたは切り欠き部３６ｐを含んでもよい。この場合、サポート部材に柔軟性と強度を持たせることができる。
【００６９】
第１、第２サポート部材３２、３４は、前後幅が下方に向かって漸増する前後幅変化部３２ｍ、３４ｍを有してもよい。この場合、足のアーチとの接触部分の面積を増大して足当たりを向上できる。
【００７０】
第１、第２サポート部材３２、３４の下方領域は、互いに異なる伸縮性を有してもよい。この場合、内外足でホールド性を別々に調整できる。
【００７１】
第１、第２サポート部材３２、３４は、アッパー２０の素材より高い可撓性を有する素材で構成されてもよい。この場合、サポート部材によるホールド性を確保しつつ、足当たりを向上できる。
【００７２】
以上、本発明の実施形態の例について詳細に説明した。前述した実施形態は、いずれも本発明を実施するにあたっての具体例を示したものにすぎない。実施形態の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して説明しているが、そのような表記のない内容に設計変更が許容されないわけではない。また、図面の断面に付したハッチングは、ハッチングを付した対象の材質を限定するものではない。
【００７３】
以下、変形例を説明する。変形例の図面および説明では、実施形態と同一または同等の構成要素、部材には、同一の符号を付する。実施形態と重複する説明を適宜省略し、実施形態と相違する構成について重点的に説明する。
【００７４】
［第１変形例］
第１変形例に係る靴２００の構成について説明する。図１８は、第１変形例に係る靴２００を概略的に示す平面図であり、図１に対応する。この図では、理解を容易にするためシューレース６０の記載を省略している。図１９は、靴２００のＢ−Ｂ線断面図であり、図２に対応する。図２０は、靴２００のシュータン７０を平面に展開した展開図である。第１変形例に係る靴２００は、実施の形態に係る靴１００に対してシュータン７０の構成が相違し、その他の構成は同様である。したがって、主にシュータン７０の構成を説明する。
【００７５】
シュータン７０は、アッパー２０の内部において中央開口部２０ｃを覆う。シュータン７０は、幅方向に突出する突出部７０ｅを有する点で、実施の形態と相違する。突出部７０ｅは、第１、第２サポート部材３２、３４の内側（アッパー２０とは反対側）で下方に延びる。つまり、サポート部材３２、３４は、突出部７０ｅとアッパー２０との間に挟まれる。突出部７０ｅが、サポート部材と足の間に介在することにより、サポート部材３２、３４が足のアーチに直接接触するのを防ぎ、足当たりを向上できる。
【００７６】
突出部７０ｅは、その下端７０ｊがサポート部材３２、３４の基端部３２ｊ、３４ｊよりも下側に延びてもよい。つまり、サポート部材３２、３４の基端部３２ｊ、３４ｊは、突出部７０ｅの下端７０ｊよりも上側に配置される。この場合、サポート部材３２、３４が足のアーチに直接接触する面積を小さくすることができる。
【００７７】
突出部７０ｅの下端７０ｊは、固定されない自由端であってもよいし、アウトソール１２、インソール１４またはアッパー２０の下部に固定されてもよいし、これらの間に固定されてもよい。本変形例の下端７０ｊは、靴１００に足を入れる際にシュータン７０や、サポート部材３２、３４の前方への移動を抑制する観点から、アッパー２０とインソール１４の間に固定されている。サポート部材３２、３４の基端部３２ｊ、３４ｊは、突出部７０ｅの途中に固定されてもよい。この場合、サポート部材３２、３４、突出部７０ｅ、およびアッパー２０の位置関係のずれを小さくできる。
【００７８】
突出部７０ｅは、図２０の実線で示すように、平面視にて第１、第２サポート部材３２、３４の一部と重複する形状であってもよいし、図２０の破線で示すように、平面視にて第１、第２サポート部材３２、３４の全部と重複する形状であってもよい。つまり、突出部７０ｅは、平面視にて第１、第２サポート部材３２、３４を一部またはすべて含む形状を有する。
【００７９】
図１８に示すように、本変形例のシュータン７０の上面には、第１、第２サポート部材３２、３４の位置を規制するための位置規制部７２が設けられる。位置規制部７２を有することにより、サポート部材が前後方向に移動するのを抑制し、サポート部材３２、３４とアッパー２０との位置関係のずれを小さくできる。
【００８０】
位置規制部７２の構成に制限はないが、本変形例の位置規制部７２は、前後方向に延び、前後方向に離れた複数の位置でシュータン７０に縫合等の手段で固定された帯状の部材である。位置規制部７２は、シュータン７０の幅方向中央に設けられ、シュータン７０の上面との間にサポート部材が幅方向に通るための隙間７２ｓを形成する。サポート部材を隙間７２ｓに通過させることにより、サポート部材の前後方向の位置が隙間７２ｓの前後範囲に規制される。位置規制部７２がシュータン７０の幅方向中央に設けられることは必須ではなく、位置規制部７２は、幅方向中央から内足側または外足側に寄った位置に配置されてもよい。
【００８１】
第１、第２サポート部材３２、３４を、一つの隙間７２ｓに通してもよいが、本変形例では別々の隙間７２ｓに通している。この場合、第１サポート部材３２および第２サポート部材３４の位置をより適切な位置にそれぞれ配置できる。また、単一の隙間７２ｓに、第１、第２サポート部材３２、３４の両方を通過させてもよいし、一方のサポート部材のみを通過させてもよい。隙間７２ｓは、シューレース６０を通過させてもよいし、通過させなくてもよい。
【００８２】
［第２変形例］
第２変形例に係る靴３００の構成について説明する。図２１は、第２変形例に係る靴３００を概略的に示す平面図であり、図１に対応する。図２２は、靴３００のＭ−Ｍ線断面図である。図２３は、靴３００のＮ−Ｎ線断面図である。第２変形例に係る靴３００は、実施の形態に係る靴１００に対して第１サポート部材３３２、第２サポート部材３３４の構成が相違し、その他の構成は同様である。したがって、主に第１、第２サポート部材３３２、３３４の構成を説明する。
【００８３】
本変形例の第１サポート部材３３２は、実施の形態の第１サポート部材３２に対して、先端部３２ｈを有さず、折返部３３２ｐおよび外足側基端部３３２ｎを有する点で異なり、他の構成は同様である。第１サポート部材３３２は、内足下側の内足側基端部３３２ｊから外足下側の外足側基端部３３２ｎまで延びる部材であり、途中に折返部３３２ｐが形成される。折返部３３２ｐは、第２形成部２８に設けられた通孔２８ｈを下から上に通過して第２形成部２８の上面に突出する。折返部３３２ｐには、第１紐通し構造３３２ｇが設けられる。
【００８４】
内足側基端部３３２ｊは、基端部３２ｊに対応し、図２２の例では、内足側においてアッパー２０とインソール１４の間に固定されている。外足側基端部３３２ｎは、図２２の例では、外足側においてアッパー２０とインソール１４の間に固定されている。外足側基端部３３２ｎは、アウトソール１２、インソール１４またはアッパー２０の下部に固定されてもよいし、これらの間に固定されてもよい。
【００８５】
なお、実施の形態の第１サポート部材３２と、本変形例の第１サポート部材３３２とは、一方の端部（基端部３２ｊ、内足側基端部３３２ｊ）が内足側でアッパー２０とインソール１４の間等に固定され、他方の端部（先端部３２ｈ、外足側基端部３３２ｎ）が外足側で第２形成部２８またはアッパー２０とインソール１４の間等に固定されている。即ち、サポート部材の両端部がいずれかに固定される点で、これらは共通の技術思想であるといえる。
【００８６】
図２１に示すように、第１サポート部材３３２の外足側基端部３３２ｎ近傍には、前後幅が下方に向かって漸増する前後幅変化部３３２ｍが設けられている。
【００８７】
折返部３３２ｐは、第２形成部２８に固定されてもよいが、この例では、固定されていない。したがって、シューレース６０を絞めることにより、第１サポート部材３３２における折返部３３２ｐの位置は変化する。
【００８８】
本変形例の第２サポート部材３３４は、実施の形態の第２サポート部材３４に対して、先端部３４ｈを有さず、折返部３３４ｐおよび内足側基端部３３４ｎを有する点で異なり、他の構成は同様である。第２サポート部材３３４は、外足下側の外足側基端部３３４ｊから内足下側の内足側基端部３３４ｎまで延びる部材であり、途中に折返部３３４ｐが形成される。折返部３３４ｐは、第１形成部２６に設けられた通孔２６ｈを下から上に通過して第１形成部２６の上面に突出する。折返部３３４ｐには、第２紐通し構造３３４ｇが設けられる。
【００８９】
外足側基端部３３４ｊは、基端部３４ｊに対応し、図２３の例では、内足側においてアッパー２０とインソール１４の間に固定されている。内足側基端部３３４ｎは、図２３の例では、外足側においてアッパー２０とインソール１４の間に固定されている。内足側基端部３３４ｎは、アウトソール１２、インソール１４またはアッパー２０の下部に固定されてもよいし、これらの間に固定されてもよい。
【００９０】
なお、実施の形態の第２サポート部材３４と、本変形例の第２サポート部材３３４とは、一方の端部（基端部３４ｊ、外足側基端部３３４ｊ）が外足側でアッパー２０とインソール１４の間等に固定され、他方の端部（先端部３４ｈ、内足側基端部３３４ｎ）が内足側で第１形成部２６またはアッパー２０とインソール１４の間等に固定されている。即ち、サポート部材の両端部がいずれかに固定される点で、これらは共通の技術思想であるといえる。
【００９１】
図２１に示すように、第２サポート部材３３４の内足側基端部３３４ｎ近傍には、前後幅が下方に向かって漸増する前後幅変化部３３４ｍが設けられている。
【００９２】
折返部３３４ｐは、第１形成部２６に固定されてもよいが、この例では、固定されていない。したがって、シューレース６０を絞めることにより、第２サポート部材３３４における折返部３３４ｐの位置は変化する。
【００９３】
第２変形例は上述の実施形態と同様の作用・効果を奏する。加えて、前後方向に離れた位置に配置された第１サポート部材３３２および第２サポート部材３３４が、それぞれ内足と外足をサポートするので、足の形状に沿ってより適切なサポート力を付与できる。
【００９４】
［第３変形例］
第３変形例に係る靴４００の構成について説明する。図２４は、第３変形例に係る靴４００を概略的に示す平面図であり、図１に対応する。図２５は、靴４００のＰ−Ｐ線断面図である。第３変形例に係る靴４００は、実施の形態に係る靴１００に対して両側サポート部材４３２の構成が相違し、その他の構成は同様である。つまり、靴４００は、第１、第２サポート部材に代えて両側サポート部材４３２を有する。したがって、主に両側サポート部材４３２の構成を説明する。
【００９５】
本変形例の両側サポート部材４３２は、実施の形態の第１サポート部材３２に対して、先端部３２ｈを有さず、第１、第２折返部４３２ｐ、４３２ｑ、内足側基端部４３２ｊおよび外足側基端部４３２ｎを有する点で異なり、他の構成は同様である。両側サポート部材４３２は、内足下側の内足側基端部４３２ｊから外足下側の外足側基端部４３２ｎまで延びる部材であり、途中に第１、第２折返部４３２ｐ、４３２ｑが形成される。第１折返部４３２ｐは、第２折返部４３２ｑの外足側基端部４３２ｎとは反対側に設けられ、第２折返部４３２ｑは、第１折返部４３２ｐの内足側基端部４３２ｊとは反対側に設けられる。
【００９６】
第１折返部４３２ｐは、第１形成部２６に設けられた通孔２６ｈを下から上に通過して第１形成部２６の上面に突出する。第１折返部４３２ｐには、第１紐通し構造４３２ｇが設けられる。第２折返部４３２ｑは、第２形成部２８に設けられた通孔２８ｈを下から上に通過して第２形成部２８の上面に突出する。第２折返部４３２ｑには、第２紐通し構造４３２ｋが設けられる。
【００９７】
内足側基端部４３２ｊおよび外足側基端部４３２ｎは、アウトソール１２、インソール１４またはアッパー２０の下部に固定されてもよいし、これらの間に固定されてもよい。図２５の例では、内足側基端部４３２ｊは、内足側においてアッパー２０とインソール１４の間に固定されており、外足側基端部４３２ｎは、外足側においてアッパー２０とインソール１４の間に固定されている。
【００９８】
図２４の例では、通孔２６ｈおよび通孔２８ｈは、第１形成部２６および第２形成部２８において、複数の紐通し部６２のうち最も前側のものよりも前方に配置されている。したがって、第１、第２折返部４３２ｐ、４３２ｑおよび第１、第２紐通し構造４３２ｇ、４３２ｋは複数の紐通し部６２より前方に配置されている。シューレース６０は、第１、第２紐通し構造４３２ｇ、４３２ｋを連続して通過する。
【００９９】
なお、実施の形態の第１サポート部材３２と、本変形例の両側サポート部材４３２とは、一方の端部（基端部３２ｊ、内足側基端部４３２ｊ）が内足側でアッパー２０とインソール１４の間等に固定され、他方の端部（先端部３２ｈ、外足側基端部４３２ｎ）が外足側で第２形成部２８またはアッパー２０とインソール１４の間等に固定されている。即ち、サポート部材の両端部がいずれかに固定される点で、これらは共通の技術思想であるといえる。
【０１００】
図２４に示すように、両側サポート部材４３２の内足側基端部４３２ｊの近傍および外足側基端部４３２ｎの近傍には、前後幅が下方に向かって漸増する前後幅変化部４３２ｓが設けられている。
【０１０１】
第１、第２折返部４３２ｐ、４３２ｑは、第１、第２形成部２６、２８に固定されてもよいが、この例では、固定されていない。したがって、シューレース６０を絞めることにより、両側サポート部材４３２における第１、第２折返部４３２ｐ、４３２ｑの位置は変化する。
【０１０２】
第３変形例は上述の実施形態と同様の作用・効果を奏する。加えて、両側サポート部材４３２が、第１サポート部材と第２サポート部材の代替として内足と外足をサポートするので、足の形状に沿ってより適切なサポート力を付与できる。
【０１０３】
［その他の変形例］
実施の形態の説明では、サポート部材がアッパー２０の内側に設けられている例を示したが、サポート部材は、アッパー２０の外側に設けられていてもよい。この場合、サポート部材は内足と外足を間接的に当接する。
【０１０４】
実施の形態の説明では、紐通し部６２が貫通孔である例を示したが、本発明はこれに限定されず、紐通し部は種々の構造を採用しうる。例えば、紐通し部は、金属製や樹脂製のハトメであってもよいし、金属製や樹脂製のフックであってもよい。
【０１０５】
実施の形態の説明では、紐通し構造３２ｇ、３４ｇが、サポート部材の先端を折り返して形成される例を示したが本発明はこれに限定されず、紐通し構造は種々の構造を採用しうる。例えば、紐通し構造は、金属製や樹脂製のハトメであってもよいし、上下貫通孔であってもよいし、金属製や樹脂製のフックであってもよい。
【０１０６】
実施の形態の説明では、サポート部材が基端部３２ｊ、３４ｊから先端部３２ｈ、３４ｈまで一体に形成される例を示したが本発明はこれに限定されず、サポート部材は別個に形成された複数の部材が連結されて構成されてもよい。また、サポート部材の形成部２６、２８の内側の部分と外側の部分とは繋がっていなくてもよく、この内側の部分と外側の部分とは別々にアッパー２０に固定されてもよい。
【０１０７】
実施の形態の説明では、剛性低減部３６が第２サポート部材３４に設けられる例を示したが、剛性低減部３６は、第１サポート部材３２に設けられてもよいし、第１、第２サポート部材３２、３４双方に設けられてもよい。この場合、第１、第２サポート部材３２、３４の剛性低減部３６は、それぞれ形状や構成が異なっていてもよい。
【０１０８】
上述の各変形例は上述の実施形態と同様の作用・効果を奏する。
【０１０９】
上述した実施形態と変形例の任意の組み合わせもまた本発明の実施形態として有用である。組み合わせによって生じる新たな実施形態は、組み合わされる各実施形態および変形例それぞれの効果をあわせもつ。
【産業上の利用可能性】
【０１１０】
本発明は、靴に関し靴に利用することができる。
【符号の説明】
【０１１１】
１０  ソール、  ２０  アッパー、  ２０ａ  内部空間、  ２０ｃ  中央開口部、  ２０ｄ  足挿入部、  ２２  内足部、  ２４  外足部、  ２６  第１形成部、  ２６ｓ  補強構造、  ２８  第２形成部、３０ｅ  低伸縮部、  ３２  第１サポート部材、  ３２ｆ  固定部、  ３２ｇ  紐通し構造、  ３２ｈ  先端部、  ３２ｊ  基端部、  ３２ｋ  変形抑制構造、  ３２ｍ  前後幅変化部、  ３４  第２サポート部材、  ３４ｆ  固定部、  ３４ｇ  紐通し構造、  ３４ｈ  先端部、  ３４ｍ  前後幅変化部、  ３６  剛性低減部、  ６０  シューレース、  ６２  紐通し部、  ７０  シュータン、  ７０ｅ  突出部、  ７０ｊ  下端、  ７２  位置規制部、  １００、２００  靴。
【要約】
靴１００は、それぞれに紐通し部６２が形成され、アッパー２０の足挿入部２０ｂから前方に形成された中央開口部２０ｃを挟んで内足側に設けられる第１形成部２６および外足側に設けられる第２形成部２８と、先端部３２ｈが第２形成部２８に固定され、当該先端部３２ｈに第１紐通し構造３２ｇが設けられ、内足に当接するように下方に延伸する第１サポート部材３２と、先端部３４ｈが第１形成部２６に固定され、当該先端部３４ｈに第２紐通し構造３４ｇが設けられ、外足に当接するように下方に延伸する第２サポート部材３４と、紐通し部６２を通過するとともに、第１、第２紐通し構造３２ｇ、３４ｇを連続して通過するシューレース６０と、を備える。【図１】
0006716795.tif 000002
【図２】
0006716795.tif 000003
【図３】
0006716795.tif 000004
【図４】
0006716795.tif 000005
【図５】
0006716795.tif 000006
【図６】
0006716795.tif 000007
【図７】
0006716795.tif 000008
【図８】
0006716795.tif 000009
【図９】
0006716795.tif 000010
【図１０】
0006716795.tif 000011
【図１１】
0006716795.tif 000012
【図１２】
0006716795.tif 000013
【図１３】
0006716795.tif 000014
【図１４】
0006716795.tif 000015
【図１５】
0006716795.tif 000016
【図１６】
0006716795.tif 000017
【図１７】
0006716795.tif 000018
【図１８】
0006716795.tif 000019
【図１９】
0006716795.tif 000020
【図２０】
0006716795.tif 000021
【図２１】
0006716795.tif 000022
【図２２】
0006716795.tif 000023
【図２３】
0006716795.tif 000024
【図２４】
0006716795.tif 000025
【図２５】
0006716795.tif 000026